(57)【要約】【課題】データを記憶する場合又はデータに基づいて画像形成をする場合に利便性が高いデータ処理装置、画像形成システム、及びコンピュータプログラムを提供する。【解決手段】複数のデータで構成されるデータ群に対する処理要求を外部から受け付ける受付部と、該受付部が受け付けた処理要求に基づいて、前記データ群に対して処理を行う処理部とを備えるデータ処理装置１は、前記処理部による処理を除外する対象を前記複数のデータから選択する除外対象選択部を備え、前記処理部は、前記除外対象選択部が選択したデータを除くデータに対して処理を行うようにしてある。【選択図】図２
2015041228.tif 000002
【特許請求の範囲】
【請求項１】
複数のデータで構成されるデータ群に対する処理要求を外部から受け付ける受付部と、該受付部が受け付けた処理要求に基づいて、前記データ群に対して処理を行う処理部とを備えるデータ処理装置において、
前記処理部による処理を除外する対象を前記複数のデータから選択する除外対象選択部を備え、
前記処理部は、前記除外対象選択部が選択したデータを除くデータに対して処理を行うようにしてあること
を特徴とするデータ処理装置。
【請求項２】
前記データ群を構成するデータは、色を表す色属性を含み、
前記データが含む色属性を特定する色属性特定部を更に備え、
前記除外対象選択部は、前記色属性特定部が所定の色に係る色属性であると特定したデータを選択するようにしてあること
を特徴とする請求項１に記載のデータ処理装置。
【請求項３】
前記データが文字列データ又は図形データであるか否かを判定する判定部を更に備え、
前記除外対象選択部は、前記判定部が文字列データ又は図形データであると判定したデータから前記処理部による処理を除外する対象を選択するようにしてあること
を特徴とする請求項１に記載のデータ処理装置。
【請求項４】
文字列データが表す文字に係る色、大きさ、又は字体を含む文字の属性を特定する特定部を更に備え、
前記除外対象選択部は、前記判定部が文字列データであると判定し、かつ前記特定部が所定の属性であると特定したデータを選択するようにしてあること
を特徴とする請求項３に記載のデータ処理装置。
【請求項５】
図形データが表す図形に係る色、大きさ、又は形状を含む図形の属性を特定する特定部を更に備え、
前記除外対象選択部は、前記判定部が図形データであると判定し、かつ前記特定部が所定の属性であると特定したデータを選択するようにしてあること
を特徴とする請求項３に記載のデータ処理装置。
【請求項６】
前記除外対象選択部は、前記特定部が所定の色と特定したデータを選択するようにしてあること
を特徴とする請求項４又は５に記載のデータ処理装置。
【請求項７】
前記受付部が受け付けた処理要求に基づいて、前記データ群にデータを付加するデータ付加部を更に備え、
前記除外対象選択部は、前記データ付加部が付加したデータから、前記処理部による処理を除外する対象を選択するようにしてあること
を特徴とする請求項１から６までの何れか一つに記載のデータ処理装置。
【請求項８】
記憶部を更に備え、
前記受付部は、記憶処理に係る処理要求を受け付けるようにしてあり、
前記処理部は、前記受付部が前記記憶処理に係る処理要求を受け付けたとき、前記除外対象選択部が選択したデータを除くデータを前記記憶部に記憶するようにしてあること
を特徴とする請求項１から７までの何れか一つに記載のデータ処理装置。
【請求項９】
請求項１から８までの何れか一つに記載のデータ処理装置と、
該データ処理装置から入力されたデータに基づく画像を形成する画像形成装置と
を備え、
前記受付部は、画像形成処理に係る処理要求を受け付けるようにしてあり、
前記処理部は、前記受付部が前記画像形成処理に係る処理要求を受け付けたとき、前記除外対象選択部が選択したデータを除くデータを前記画像形成装置に出力するようにしてあること
を特徴とする画像形成システム。
【請求項１０】
コンピュータに、外部から受け付けた複数のデータで構成されるデータ群に対する処理要求に基づいて、前記データ群に対して処理を行わせるコンピュータプログラムにおいて、
前記処理を除外する対象を前記複数のデータから選択するステップと、
前記処理を除外する対象として選択されたデータを除くデータに対して処理を行うステップと
を含むことを特徴とするコンピュータプログラム。
【発明の詳細な説明】
【技術分野】
【０００１】
外部からデータの処理要求を受け付け、該処理要求に基づいて処理を行うデータ処理装置、画像形成システム、及びコンピュータプログラムに関する。
【背景技術】
【０００２】
従来、記憶領域にデータを記憶するときの記憶方法を工夫した装置が知られている。特許文献１に記載の表示装置は、画面上に表示されているデータの中からユーザが記憶したい領域を指定し、指定した領域を切り出して記憶領域に記憶するため、記憶領域の使用量を低減させることができる。また、特許文献１に記載の表示装置は、記憶したい領域の座標等を予め設定することにより、ユーザが領域を指定することなく記憶したい領域を切り出すことができる。
【０００３】
また、特許文献２に記載のコンテンツ再生装置は、音声、画像、又はテキスト等のコンテンツ（データ）とユーザが指定した色情報とを対応付けて記憶領域に記憶する。特許文献２に記載のコンテンツ再生装置は、共通の色情報をもつ複数のコンテンツを再生することにより、ユーザが共通のコンテンツを再生したいとき等の利便性の向上ができる。
【先行技術文献】
【特許文献】
【０００４】
【特許文献１】特開２０１２−１８６５８号公報
【特許文献２】特開２００６−２０１８５３号公報
【発明の概要】
【発明が解決しようとする課題】
【０００５】
しかしながら、従来の記憶領域にデータを記憶するときの記憶方法を工夫した装置においては、データを記憶する場合、データ内の一部に記憶を望まないデータが含まれていたときに、望まないデータを削除したうえで記憶する必要があり、利便性に問題があった。また、データに基づいて画像形成をする場合も同様に、データ内の一部に画像形成を望まないデータが含まれていたときに、望まないデータを削除したうえで画像形成をする必要があり、利便性に問題があった。
【０００６】
例えば、特許文献１に記載の表示装置は、ユーザが記憶したい領域を指定する場合、画面に表示されたデータ毎に指定する必要があり、利便性に問題がある。また、特許文献１に記載の表示装置は、記憶したい領域を予め設定する場合、画面に表示されるデータのレイアウトがデータ毎に異なる場合、その都度設定する必要があり利便性に問題がある。
【０００７】
また、例えば、特許文献２に記載のコンテンツ再生装置は、コンテンツを再生するときの利便性を向上させるために記憶方法を工夫しており、上述の記憶又は画像形成の際の利便性について考慮がなされていない。
【０００８】
本発明は斯かる事情に鑑みてなされたものであり、データを記憶する場合又はデータに基づいて画像形成をする場合に利便性が高いデータ処理装置、画像形成システム、及びコンピュータプログラムを提供することにある。
【課題を解決するための手段】
【０００９】
本発明に係るデータ処理装置は、複数のデータで構成されるデータ群に対する処理要求を外部から受け付ける受付部と、該受付部が受け付けた処理要求に基づいて、前記データ群に対して処理を行う処理部とを備えるデータ処理装置において、前記処理部による処理を除外する対象を前記複数のデータから選択する除外対象選択部を備え、前記処理部は、前記除外対象選択部が選択したデータを除くデータに対して処理を行うようにしてあることを特徴とする。
【００１０】
本発明に係るデータ処理装置は、前記データ群を構成するデータは、色を表す色属性を含み、前記データが含む色属性を特定する色属性特定部を更に備え、前記除外対象選択部は、前記色属性特定部が所定の色に係る色属性であると特定したデータを選択するようにしてあることを特徴とする。
【００１１】
本発明に係るデータ処理装置は、前記データが文字列データ又は図形データであるか否かを判定する判定部を更に備え、前記除外対象選択部は、前記判定部が文字列データ又は図形データであると判定したデータから前記処理部による処理を除外する対象を選択するようにしてあることを特徴とする。
【００１２】
本発明に係るデータ処理装置は、文字列データが表す文字に係る色、大きさ、又は字体を含む文字の属性を特定する特定部を更に備え、前記除外対象選択部は、前記判定部が文字列データであると判定し、かつ前記特定部が所定の属性であると特定したデータを選択するようにしてあることを特徴とする。
【００１３】
本発明に係るデータ処理装置は、図形データが表す図形に係る色、大きさ、又は形状を含む図形の属性を特定する特定部を更に備え、前記除外対象選択部は、前記判定部が図形データであると判定し、かつ前記特定部が所定の属性であると特定したデータを選択するようにしてあることを特徴とする。
【００１４】
本発明に係るデータ処理装置は、前記除外対象選択部は、前記特定部が所定の色と特定したデータを選択するようにしてあることを特徴とする。
【００１５】
本発明に係るデータ処理装置は、前記受付部が受け付けた処理要求に基づいて、前記データ群にデータを付加するデータ付加部を更に備え、前記除外対象選択部は、前記データ付加部が付加したデータから、前記処理部による処理を除外する対象を選択するようにしてあることを特徴とする。
【００１６】
本発明に係るデータ処理装置は、記憶部を更に備え、前記受付部は、記憶処理に係る処理要求を受け付けるようにしてあり、前記処理部は、前記受付部が前記記憶処理に係る処理要求を受け付けたとき、前記除外対象選択部が選択したデータを除くデータを前記記憶部に記憶するようにしてあることを特徴とする。
【００１７】
本発明に係る画像形成システムは、上述の何れか一つに記載のデータ処理装置と、該データ処理装置から入力されたデータに基づく画像を形成する画像形成装置とを備え、前記受付部は、画像形成処理に係る処理要求を受け付けるようにしてあり、前記処理部は、前記受付部が前記画像形成処理に係る処理要求を受け付けたとき、前記除外対象選択部が選択したデータを除くデータを前記画像形成装置に出力するようにしてあることを特徴とする。
【００１８】
本発明に係るコンピュータプログラムは、コンピュータに、外部から受け付けた複数のデータで構成されるデータ群に対する処理要求に基づいて、前記データ群に対して処理を行わせるコンピュータプログラムにおいて、前記処理を除外する対象を前記複数のデータから選択するステップと、前記処理を除外する対象として選択されたデータを除くデータに対して処理を行うステップとを含むことを特徴とする。
【発明の効果】
【００１９】
本発明によれば、データを記憶する場合又はデータに基づいて画像形成をする場合に利便性が高いデータ処理装置、画像形成システム、及びコンピュータプログラムを提供することができる。
【図面の簡単な説明】
【００２０】
【図１】実施の形態１における画像形成システムの全体を示す模式図である。
【図２】電子黒板装置の構成を示すブロック図である。
【図３】電子黒板装置のディスプレイに表示されたアプリケーションの操作画面の一例を示す説明図である。
【図４】アプリケーションを実行したときの電子黒板装置の処理手順を示すフローチャートである。
【図５】実施の形態２における除外対象情報の具体例を示す説明図である。
【図６】実施の形態８におけるアプリケーションを実行したときの電子黒板装置の処理手順を示すフローチャートである。
【発明を実施するための形態】
【００２１】
以下、本発明をその実施の形態を示す図面に基づいて詳述する。
【００２２】
（実施の形態１）
図１は、実施の形態１における画像形成システムの全体を示す模式図である。実施の形態１における画像形成システムは、電子黒板装置１及び画像形成装置３を含んでいる。電子黒板装置１は、ディスプレイ１５を備え、ワードプロセッサ、スプレッドシート等のアプリケーションの操作画面４をディスプレイ１５に表示する。例えば、電子黒板装置１は、アプリケーションの操作画面４内に画像Ａを表示させる。実施の形態１において画像Ａは、文字列又は図形を備える。画像Ａは例えば、上部左側に文字列「ＡＢＣ」、中央部に文字列「ＤＥＦ」、上部右側に文字列「ＧＨ」が含まれている。また、画像Ａは例えば、下部左側に矩形の図形、下部右側に円グラフを表す図形が含まれている。画像Ａに含まれる文字列「ＡＢＣ」、「ＤＥＦ」、及び「ＧＨ」の内、文字列「ＤＥＦ」は文字列「ＡＢＣ」及び「ＧＨ」と異なる文字色である。ここで、実施の形態１において画像Ａは、後述の記憶部１３（図２参照）から読み出され、その後電子黒板装置１のユーザによって文字列「ＤＥＦ」及び「ＧＨ」が付加されたものとする。なお、実施の形態１において、画像Ａは、本発明におけるデータ群に相当する。
【００２３】
画像形成装置３は、インクジェットプリンタ又はレーザープリンタ等のプリンタであり、電子黒板装置１と通信線２を介して接続する。画像形成装置３は、電子黒板装置１から入力されたデータに基づいて画像を形成する。なお、実施の形態１においては、電子黒板装置１及び画像形成装置３は通信線２を介して接続することを説明したが、会社組織内の社内ＬＡＮ（Local Area Network）又はインターネット等の公衆通信網等のネットワークを介して接続してもよい。また、電子黒板装置１及び画像形成装置３は、無線ＬＡＮ、又はｂｌｕｅｔｏｏｔｈ（登録商標）等による無線通信によって接続してもよい。
【００２４】
実施の形態１の画像形成システムにおいて電子黒板装置１は、操作画面４内の画像を記憶するとき又は画像形成装置３に画像形成させるときに、記憶部１３（図２参照）から読み出された画像内に新たに付加された文字列の内、所定の文字色が付された文字列を除いて記憶する又は画像形成装置３に画像形成させる。例えば、所定の文字色が画像Ａの文字列「ＤＥＦ」に付された文字色であった場合、電子黒板装置１は操作画面４内の画像Ａを画像形成するときに、文字列「ＤＥＦ」を除いた画像Ａに係るデータを画像形成装置３に出力する。画像形成装置３は、電子黒板装置１から入力されたデータに基づいて、紙等の記録シート上に画像Ｂを形成する。画像Ｂは画像Ａから文字列「ＤＥＦ」を除いた画像である。
【００２５】
図２は、電子黒板装置１の構成を示すブロック図である。電子黒板装置１は、制御部１１を備える。制御部１１は、例えば一又は複数のＣＰＵ（Central Processing Unit）、マルチコアＣＰＵ等により構成される。また、制御部１１にはバスを介して、一時記憶部１２、記憶部１３、操作部１４、ディスプレイ１５、出力ＩＦ１６、読取部１７が接続されている。制御部１１は、後述の記憶部１３に記憶されている制御プログラム１３ａを読み出して実行することにより各部を制御する。なお、制御部１１は本発明の処理部に相当する。
【００２６】
一時記憶部１２は、ＳＲＡＭ（Static RAM）、ＤＲＡＭ（Dynamic RAM）等のメモリにより構成される。一時記憶部１２は、制御部１１が制御プログラム１３ａによる処理を行うことによって生ずる各種データを一時記憶する。
【００２７】
記憶部１３は、ＥＥＰＲＯＭ（Electrically Erasable and Programmable ROM）、フラッシュメモリ、ＨＤＤ（Hard Disk Drive）等の不揮発性メモリにより構成される。記憶部１３には、制御プログラム１３ａが記憶されている。制御プログラム１３ａは、電子黒板装置１が本発明に係るデータ処理装置として動作するためのプログラムである。また、記憶部１３にはアプリケーションプログラム１３ｂが記憶されている。アプリケーションプログラム１３ｂは、上述のワードプロセッサ、スプレッドシート等のアプリケーションを電子黒板装置１において実行するためのプログラムであり、制御部１１に読み出されて実行される。更に、記憶部１３には除外対象情報１３ｃが記憶されている。除外対象情報１３ｃは、上述の操作画面４内の画像が記憶又は画像形成される際に、記憶又は画像形成の対象から除外する基準となる文字色の情報である。文字色の情報とは例えば、ＲＧＢ（Ｒ：赤、Ｇ：緑、Ｂ：青）値又はＣＭＹＫ（Ｃ：シアン、Ｍ：マゼンタ、Ｙ：イエロー、Ｋ：ブラック）値等である。記憶部１３は、制御プログラム１３ａ、アプリケーションプログラム１３ｂ、及び除外対象情報１３ｃが記憶されている以外に、例えば画像Ａのような上述のアプリケーションで作成したデータ等の各種データが保存可能な記憶領域を備える。
【００２８】
操作部１４は、タブレットで構成される。操作部１４は後述のディスプレイ１５に内蔵され、タブレット専用ペン（図示略）によるユーザの操作を受け付ける。操作部１４は、ユーザが入力した各種情報を制御部１１へ出力する。制御部１１は操作部１４から出力された情報に応じた処理を実行する。なお、実施形態１において操作部１４は、タブレットで構成されていることを説明したが、マウス、キーボード等の入力機器を更に含んで構成されてもよい。また、操作部１４は、本発明における受付部に相当する。
【００２９】
ディスプレイ１５は、液晶パネル、又は有機ＥＬ等を含んで構成される。制御部１１は、ディスプレイ１５に電子黒板装置１で用いられるアプリケーションの操作画面を出力する。
【００３０】
出力ＩＦ１６には、通信線２を介して画像形成装置３が接続されている。制御部１１は、ディスプレイ１５に表示されているデータを、出力ＩＦ１６及び通信線２を介して画像形成装置３に出力する。画像形成装置３は、出力ＩＦ１６及び通信線２を介して制御部１１から出力されたデータを入力し、そのデータに基づいて紙等の記録シートに画像形成を行う。
【００３１】
読取部１７は、ＣＤ−ＲＯＭ、ＤＶＤ、ブルーレイディスク、又はフレキシブルディスク等である記録媒体５から情報を読み取ることが可能である。制御部１１は、読取部１７により読み出された記録媒体５に記録されているデータを、一時記憶部１２に記憶するか、又は記憶部１３に記憶する。記録媒体５には、制御部１１が実行することにより電子黒板装置１が本発明に係るデータ処理装置として動作するための制御プログラム５１が記録されている。記憶部１３に記憶されている制御プログラム１３ａは、記録媒体５から制御部１１が読み出した制御プログラム５１の複製であってもよい。
【００３２】
なお、実施形態１においては、操作部１４、及びディスプレイ１５を電子黒板装置１に内蔵する構成としたが、電子黒板装置１に外部接続する構成としてもよい。また、操作部１４及びディスプレイ１５はタッチパネルにて構成されていてもよい。
【００３３】
図３は、電子黒板装置１のディスプレイ１５に表示されたアプリケーションの操作画面４の一例を示す説明図である。操作画面４は、画面中央に画像Ａ及び画面右側に操作ボタン群４１を含んで構成される。画像Ａは、上部左側に文字列「ＡＢＣ」、中央部に文字列「ＤＥＦ」、上部右側に文字列「ＧＨ」が含まれる。また、画像Ａは、下部左側に矩形の図形、下部右側に円グラフを表す図形が含まれている。操作ボタン群４１は、テキストボタン４１ａ、テキスト属性ボタン４１ｂ、図形ボタン４１ｃ、消しゴムボタン４１ｄ、選択ボタン４１ｅ、記憶ボタン４１ｆ、及び画像形成ボタン４１ｇを含む。操作画面４内では、図示しないポインタが表示されており、ユーザによる操作部１４の操作に応じて操作画面４上を移動する。なお、実施の形態１においては、画像Ａを操作画面４に表示させる例を示すが、アプリケーションによって編集可能なその他の画像であってもよい。
【００３４】
テキストボタン４１ａは、画像Ａ内に文字列データの入力を受け付けるボタンである。電子黒板装置１のユーザは、テキストボタン４１ａを選択した状態で画像Ａ内の文字列の入力を望む場所に操作部１４を介してポインタを移動させ、マウスのクリックに相当する動作等が行われることにより当該場所に文字列の入力を行うことができる。文字列の入力は、操作部１４を介してなされる。
【００３５】
テキスト属性ボタン４１ｂは、文字列を表す文字の色、字体、又は大きさ等の文字の属性の選択を受け付けるボタンである。電子黒板装置１のユーザは、テキスト属性ボタン４１ｂにより文字の属性を選択し、テキストボタン４１ａにより文字列を入力することで、選択した文字の属性に係る文字列を入力することができる。また、入力されている文字列を後述の選択ボタン４１ｅによって選択し、選択した状態でテキスト属性ボタン４１ｂにより文字の属性を選択することによって、入力された文字列を表す文字の属性を変更することができる。
【００３６】
図形ボタン４１ｃは、作成する図形の選択を受け付けるためのボタンである。図形ボタン４１ｃでは、制御部１１により作成される図形の種類の選択を受け付ける。図形の種類とは例えば、円形、楕円形、又は多角形等である。また例えば、図形ボタン４１ｃが選択された状態で、操作部１４を介してポインタを画像上で移動させることによって、自由に描写した線図等の図形を入力することができる。
【００３７】
消しゴムボタン４１ｄは、作成された図形の消去を受け付けるボタンである。電子黒板装置１のユーザは、消しゴムボタン４１ｄを選択した状態で、操作部１４を介してポインタを画像Ａ上で移動させることによって、ポインタの移動軌跡に沿って画像Ａに含まれる図形を消去することができる。
【００３８】
選択ボタン４１ｅは、文字列又は図形の入力以外の操作を受け付けるためのボタンである。例えば、選択ボタン４１ｅが選択されている状態で、操作部１４を介してポインタを文字列又は図形上に移動させ、マウスのクリックに相当する動作等が行われることにより当該文字列又は図形を選択することができる。
【００３９】
記憶ボタン４１ｆは、操作画面４に表示された画像の記憶部１３への記憶を受け付けるボタンである。例えば、電子黒板装置１のユーザにより記憶ボタン４１ｆが選択されたとき、制御部１１は、記憶部１３に画像Ａを記憶する。そのとき、制御部１１は除外対象情報１３ｃに記憶された文字色を有する文字列を除いて記憶部１３に記憶する。なお、ユーザにより記憶ボタン４１ｆが選択されたとき、制御部１１は予め定められた記憶領域に画像を記憶してもよいし、画像を記憶する記憶領域をユーザにより選択可能にしてもよい。
【００４０】
画像形成ボタン４１ｇは、操作画面４に表示された画像について、画像形成装置３を用いた画像形成を受け付けるボタンである。例えば、電子黒板装置１のユーザにより画像形成ボタン４１ｇが選択されたとき、制御部１１は、画像Ａに係るデータを出力ＩＦ１６及び通信線２を介して画像形成装置３に出力する。そのとき、画像Ａに係るデータは、除外対象情報１３ｃとして記憶された文字色を有する文字列を除いた画像Ａに係るデータである。画像形成装置３は、制御部１１から入力されたデータに基づいて、紙等の記録シート上に画像を形成する。
【００４１】
ここで、テキストボタン４１ａ、図形ボタン４１ｃが操作されることによって、文字列データ又は図形データが制御部１１に入力される。文字列データ又は図形データが入力された制御部１１は、制御プログラム１３ａを実行することにより、入力されたデータに対応する文字列又は図形を付加してディスプレイ１５に表示する。このとき、制御部１１は制御プログラム１３ａを実行することにより、データ付加部として機能する。
【００４２】
図４は、アプリケーションを実行したときの電子黒板装置１の処理手順を示すフローチャートである。電子黒板装置１が備える制御部１１は、操作部１４を介して電子黒板装置１のユーザから操作を受け付けたか否かを判定する（ステップＳ１１）。操作を受け付けていないと判定した場合（Ｓ１１：ＮＯ）、制御部１１は操作を受け付けるまで待つ。
【００４３】
操作を受け付けたと制御部１１が判定した場合（Ｓ１１：ＹＥＳ）、制御部１１は受け付けた操作が、記憶ボタン４１ｆ又は画像形成ボタン４１ｇの選択操作であるか否かを判定する（ステップＳ１２）。具体的には、制御部１１は操作画面４内の記憶ボタン４１ｆ又は画像形成ボタン４１ｇの領域に対応するディスプレイ１５の領域に、タブレット専用ペンにより接触等の操作がなされたか否かにより判定する。
【００４４】
記憶ボタン４１ｆ又は画像形成ボタン４１ｇの選択操作ではないと判定した場合（Ｓ１２：ＮＯ）、制御部１１は、受け付けた操作が文字入力操作であるか否かを判定する（ステップＳ１３）。具体的には制御部１１は、テキストボタン４１ａが選択された状態で操作画面４中の画像内に文字列データが付加されたか否かにより判定を行う。なお、制御部１１はステップＳ１３において制御プログラム１３ａを実行することにより、本発明の判定部として機能する。
【００４５】
文字入力操作であると判定した場合（Ｓ１３：ＹＥＳ）、制御部１１は入力データを一時記憶部１２に記憶し（ステップＳ１４）、処理をステップＳ１７に進める。入力データは、文字入力操作によって操作画面４中の画像内に付加された文字列に対応する文字列データと、文字列を表す文字の色、字体、大きさ等の文字の属性に係るデータとで構成される。
【００４６】
文字入力操作ではないと判定した場合（Ｓ１３：ＮＯ）、制御部１１は受け付けた操作が入力データに対する変更操作であるか否かを判定する（ステップＳ１５）。具体的には制御部１１は、テキスト属性ボタン４１ｂが選択された状態で、一時記憶部１２に記憶された入力データに対して変更が加えられたか否かにより判定する。
【００４７】
入力データに対する変更操作ではないと判定した場合（Ｓ１５：ＮＯ）、制御部１１はステップＳ１１に処理を戻す。一方、入力データに対する変更操作であると判定した場合（Ｓ１５：ＹＥＳ）、制御部１１は変更操作に応じて入力データを更新する（ステップＳ１６）。具体的には制御部１１は、変更操作が行われた入力データについて、変更前の入力データを一時記憶部１２から読出し、変更後の入力データを一時記憶部１２に記憶することにより更新を行う。なお、ステップＳ１４で記憶又はステップＳ１６で更新された入力データが一時記憶部１２に記憶されるとき、例えば、スタック又はキュー等のデータ構造を用いることができる。
【００４８】
次いで、制御部１１はディスプレイ１５への表示処理を行う（ステップＳ１７）。具体的には制御部１１は、ステップＳ１４で一時記憶部１２に記憶された入力データ又は、ステップＳ１６で一時記憶部１２に更新された変更後の入力データを操作画面４の画像内に表示する。
【００４９】
一方、記憶ボタン４１ｆ又は画像形成ボタン４１ｇの選択操作であったと判定した場合（Ｓ１２：ＹＥＳ）、制御部１１は一時記憶部１２に読出すべきデータがあるか否かを判定する（ステップＳ１８）。具体的には、制御部１１はステップＳ１４で記憶又はステップＳ１６で更新された入力データが一時記憶部１２に存在するか否かを判定する。読出すべきデータがあると判定した場合（Ｓ１８：ＹＥＳ）、制御部１１は、一時記憶部１２から一の入力データの読出及び読出元の入力データの削除を行う（ステップＳ１９）。
【００５０】
次いで、制御部１１は読出した入力データが記憶部１３に記憶された除外対象情報１３ｃに対応するか否かを判定する（ステップＳ２０）。具体的には、読出した入力データの文字の属性に係るデータに、除外対象情報１３ｃとして記憶されている所定の文字色に係るデータが含まれているか否かにより判定する。所定の文字色とは例えば赤色である。なお、制御部１１はステップＳ２０において制御プログラム１３ａを実行することにより本発明の特定部として機能する。
【００５１】
除外対象情報１３ｃに対応していないと判定した場合（Ｓ２０：ＮＯ）、制御部１１は処理をステップＳ１８に戻す。一方、除外対象情報１３ｃに対応していると判定した場合（Ｓ２０：ＹＥＳ）、制御部１１はステップＳ１９で読出した入力データを一時記憶部１２に記憶する（ステップＳ２１）。ステップＳ２１において、制御部１１はステップＳ１４及びステップＳ１６により一時記憶部１２に記憶されている領域とは異なる領域に、例えばスタック又はキュー等のデータ構造を用いて記憶する。なお、制御部１１はステップＳ２１において制御プログラム１３ａを実行することにより、本発明の除外対象選択部として機能する。
【００５２】
一方、ステップＳ１８において読出すべきデータがないと判定した場合（Ｓ１８：ＮＯ）、制御部１１は、操作画面４内の画像から入力データを削除する（ステップＳ２２）。具体的には、制御部１１は一時記憶部１２を参照し、ステップＳ２１で記憶した入力データがある場合に、画像から当該入力データを削除する。次いで、制御部１１は操作画面４内の画像について記憶又はデータ出力処理を行う（ステップＳ２３）。具体的には、制御部１１は、記憶処理においては記憶部１３に画像を記憶する。また、制御部１１は、データ出力処理においては出力ＩＦ１６及び通信線２を介して画像形成装置３に画像に係るデータを出力する。制御部１１からのデータが入力された画像形成装置３は、入力されたデータに基づいて画像形成を行う。
【００５３】
以上の構成及び処理により、電子黒板装置１は画像に付加された文字列の内、文字色が所定の色である文字列を除いて、記憶部１３に記憶又は画像形成装置３へデータの出力をすることができる。そのため、記憶又は画像形成を望まない文字列、例えば機密事項等を表す文字列がユーザによって入力される際に、除外する基準となる文字色で入力されることにより、電子黒板装置１は機密事項を表す文字列を記憶又は画像形成から除外することができる。従って、ユーザは画像内の文字列を整理する操作を行うことなく、記憶又は画像形成を行うことができるため、電子黒板装置１及び画像形成システムの利便性が向上する。
【００５４】
（実施の形態２）
実施の形態１においては、記憶部１３に記憶された除外対象情報１３ｃは文字色の情報であることを示した。実施の形態２においては、除外対象情報１３ｃを複数の文字に係る属性で構成し、電子黒板装置１が更に柔軟に記憶又は画像形成から除外する対象を選択することができる例を説明する。なお、以下で説明する構成及び作用を除くその他の構成及び作用は上述の実施の形態１と同様であるため、同様な構成に関する説明及びその作用効果の説明は省略する。
【００５５】
図５は、実施の形態２における除外対象情報１３ｃの具体例を示す説明図である。除外対象情報１３ｃは、属性毎に値を有するテーブルである。属性は、文字に係る属性であり、例えば文字色、字体、下線等である。値は、属性夫々に対応し、上述の操作画面４内の画像が記憶又は画像形成される際に、記憶又は画像形成の対象から除外する基準となる。例えば図５中において、属性が文字色のときの値は赤であり、属性が字体のときの値はゴシック体であり、属性が下線のときの値は一重下線である。
【００５６】
実施の形態２における電子黒板装置１の処理は、実施の形態１における図４における処理と同様であるため、詳細な説明は省略するが、以下に異なる部分を説明する。実施の形態１における図４中のステップＳ２０においては、制御部１１は、図４中のステップＳ１９で読出した入力データの文字の属性に係るデータに、除外対象情報１３ｃとして記憶されている所定の文字色に係るデータが含まれているか否かにより判定した。実施の形態２における図４中のステップＳ２０においては、制御部１１は、ステップＳ１９において読出した入力データの文字の属性に係るデータの中に、除外対象情報１３ｃのテーブル内のデータと対応するデータが存在するか否かにより判定する。例えば、ステップＳ１９で読出された入力データの内、文字の属性に係るデータにゴシック体の字体に対応するデータを有していたとき、制御部１１はステップＳ２０において除外対象情報に対応すると判定する（Ｓ２０：ＹＥＳ）。
【００５７】
以上の構成及び処理により、画像に付加された文字列の内、文字列を表す文字の属性が所定の属性を有する文字列を除いて、記憶部１３に記憶又は画像形成装置３へデータの出力をすることができる。そのため、電子黒板装置１は文字列を表す文字の色以外の属性に該当する文字列を記憶する対象又は画像形成装置３に画像形成をさせる対象から除外することができる。
【００５８】
（実施の形態３）
実施の形態２において、制御部１１は、入力データに含まれる文字の属性に係るデータが除外対象情報１３ｃのテーブルにおける文字の属性の何れかに該当すれば、記憶又は画像形成における除外対象として選択した。実施の形態３においては、入力データに含まれる文字の属性に係るデータが、除外対象情報１３ｃのテーブルにおける文字の属性全てに該当したときに記憶又は画像形成における除外対象として選択してもよい。具体的には、図４中のステップＳ２０において、制御部１１は、ステップＳ１９において読出した入力データの文字の属性に係るデータが、除外対象情報１３ｃのテーブル内のデータとすべて一致するか否かにより判定する。なお、その他の構成及び作用は上述の実施の形態１及び２と同様であるため、同様な構成に関する説明及びその作用効果の説明は省略する。
【００５９】
（実施の形態４）
実施の形態１及び２においては、記憶ボタン４１ｆが選択されることにより制御部１１が行う記憶処理は、記憶部１３に操作画面４の画像を記憶することを説明した。実施の形態４においては、制御部１１は電子黒板装置１に接続される外部の記憶装置に画像を記憶するようにしてもよい。具体的には、図４中のステップＳ２３において、制御部１１は外部の記憶装置に画像を記憶する。なお、その他の構成及び作用は上述の実施の形態１及び２と同様であるため、同様な構成に関する説明及びその作用効果の説明は省略する。
【００６０】
（実施の形態５）
実施の形態１及び２においては、制御部１１は、記憶ボタン４１ｆ又は画像形成ボタン４１ｇが選択されるまでに、入力又は変更された入力データを一時記憶部１２に記憶することにより、処理の除外対象を選択した。実施の形態５においては、例えば記憶部１３から読み出された入力データがない画像を背景レイヤとし、制御部１１が、入力データが入力される毎にレイヤを生成することにより処理の除外対象を選択してもよい。その場合、制御部１１は入力データを別途一時記憶部１２に記憶することなく、記憶ボタン４１ｆ又は画像形成ボタン４１ｇが選択されたときに、各レイヤについて除外対象情報１３ｃに対応するか否かを判定することにより、処理の除外対象を選択することができる。なお、その他の構成及び作用は上述の実施の形態１及び２と同様であるため、同様な構成に関する説明及びその作用効果の説明は省略する。
【００６１】
（実施の形態６）
実施の形態１及び２においては、制御部１１は、入力データに含まれる文字色を含む文字に係る属性のデータが除外対象情報１３ｃに対応するか否かを判定することにより、処理の除外対象を選択していた。実施の形態６においては、制御部１１は、記憶ボタン４１ｆ又は画像形成ボタン４１ｇが選択されるまでは、表示処理を行い、どちらかのボタンが選択されたときに、画像処理によって除外対象情報１３ｃに対応する部分を画像から抽出してもよい。制御部１１は、画像処理によって抽出した以外の画像について、記憶又は画像形成装置３へのデータ出力処理を行う。例えば、除外対象情報１３ｃが赤色の文字色に係る情報であったとき、制御部１１は赤色の文字を抽出する画像処理アルゴリズムを適用する。なお、その他の構成及び作用は上述の実施の形態１及び２と同様であるため、同様な構成に関する説明及びその作用効果の説明は省略する。
【００６２】
（実施の形態７）
実施の形態１及び２においては、画像に付加された入力データから、処理の除外対象を選択していた。実施の形態７においては、画像内のそれ以外の部分から選択してもよい。制御部１１は、記憶部１３から読出され、入力データが付加されなかった画像に係るデータを、画像形成装置３に出力する際に、画像形成に不適な文字列を除いた画像形成をすることができる。画像が複数のレイヤで形成されているときは、レイヤ毎に除外対象情報１３ｃに対応しているかを判定することによって実現することができる。また、画像にレイヤが含まれていない場合であっても、制御部１１は画像処理により除外対象情報１３ｃに対応する文字列を抽出し、抽出した文字列以外の画像のデータを画像形成装置３に出力することによって、実現することができる。なお、その他の構成及び作用は上述の実施の形態１及び２と同様であるため、同様な構成に関する説明及びその作用効果の説明は省略する。
【００６３】
（実施の形態８）
実施の形態１においては、制御部１１が文字入力操作であると判定したときに、当該文字入力操作による入力データを記憶し、記憶した入力データから除外対象情報に対応する入力データを選択し、画像から削除した。実施の形態８において、制御部１１は、文字入力操作であると判定することなく、除外対象情報１３ｃに対応する文字の属性を持つ入力データを画像から削除する例を説明する。なお、以下で説明する構成及び作用を除くその他の構成及び作用は上述の実施の形態１と同様であるため、同様な構成に関する説明及びその作用効果の説明は省略する。
【００６４】
図６は、実施の形態８におけるアプリケーションを実行したときの電子黒板装置１の処理手順を示すフローチャートである。なお、ステップＳ３１及びステップＳ３２は、ステップＳ１１及びステップＳ１２と同様であるため説明は省略する。
【００６５】
ステップＳ３２において、記憶ボタン４１ｆ又は画像形成ボタン４１ｇの選択操作でないと判定した場合（Ｓ３２：ＮＯ）、制御部１１は、ステップＳ３１で受け付けた操作が所定の色属性の選択操作であったか否かを判定する（ステップＳ３３）。具体的には、制御部１１は、図３中のテキスト属性ボタン４１ｂから所定の文字色に係る文字の属性が選択されたか否かにより判定する。所定の色とは、例えば赤色である。なお、制御部１１はステップＳ３３において制御プログラム１３ａを実行することにより、本発明の色属性特定部及び除外対象選択部として機能する。
【００６６】
所定の色属性の選択操作ではないと判定した場合（Ｓ３３：ＮＯ）、制御部１１は処理をステップＳ３５に進める。一方、所定の色属性の選択操作であると判定した場合（Ｓ３３：ＹＥＳ）、制御部１１は入力データを一時記憶部１２に記憶する（ステップＳ３４）。具体的には、制御部１１は、画像内に文字列データが付加された場合、付加された文字列に係る入力データを一時記憶部１２に記憶し、付加された文字列データに対して変更が加えられた場合、変更を加えた文字列に係る入力データを一時記憶部１２に記憶する。なお、入力データは実施の形態１で説明したように、文字列データと、文字の属性に係るデータとで構成される。
【００６７】
次いで、制御部１１は、ディスプレイ１５への表示処理を行う（ステップＳ３５）。具体的には、制御部１１はステップＳ３１で受け付けた操作に対応する表示を操作画面４の画像内に行う。その後、制御部１１は処理をステップＳ３１に戻す。
【００６８】
ステップＳ３２において、記憶ボタン４１ｆ又は画像形成ボタン４１ｇの選択操作であると判定した場合（Ｓ３２：ＹＥＳ）、制御部１１は入力データが一時記憶部１２に記憶されているか否かを判定する（ステップＳ３６）。入力データが記憶されていないと判定した場合（Ｓ３６：ＮＯ）、制御部１１は処理をステップＳ３８に進める。
【００６９】
入力データが記憶されていると判定した場合（Ｓ３６：ＹＥＳ）、制御部１１は、操作画面４内の画像から一時記憶部１２に記憶されている入力データを削除する（ステップＳ３７）。なお、制御部１１が記憶されていると判定した入力データは、ステップＳ３４で記憶した入力データである。
【００７０】
次いで、制御部１１は操作画面４内の画像について記憶又はデータ出力処理を行い（ステップＳ３８）、処理を終える。なお、ステップＳ３８の処理は図４中のステップＳ２３の処理と同様であるため、説明を省略する。
【００７１】
以上の構成及び処理により、電子黒板装置１はテキスト属性ボタン４１ｂによって所定の文字色に係る文字列の属性が選択されて入力された文字列を除いて、記憶部１３に記憶又は画像形成装置３へのデータの出力をすることができる。また、文字入力操作であるか否か等の判定を行わないために、制御部１１の処理負荷を軽減することができる。なお、実施の形態８においては、所定の色属性が選択されたか否かを判定したが、実施の形態２における図５に示した文字の属性が選択されたか否かを判定してもよい。
【００７２】
（実施の形態９）
実施の形態１又は８においては、制御部１１が記憶処理又は画像形成処理を行うときの処理を除外する対象は文字列であった。実施の形態９においては、制御部１１が記憶処理又は画像形成処理のためのデータ出力処理を行うときの処理を除外する対象が図形である例を説明する。なお、以下で説明する構成及び作用を除くその他の構成及び作用は上述の実施の形態１又は８と同様であるため、同様な構成に関する説明及びその作用効果の説明は省略する。
【００７３】
実施の形態９において、電子黒板装置１の記憶部１３に記憶される除外対象情報１３ｃは、除外する図形の属性を記憶する。図形の属性とは、例えば図形の色、大きさ、形状等である。また、図形ボタン４１ｃは、制御部１１により作成される図形の種類に加えて、色等の図形の属性の選択を受け付ける。
【００７４】
実施の形態９におけるアプリケーションを実行したときの電子黒板装置１の処理手順は、以下に説明する箇所以外は実施の形態１における電子黒板装置１の処理手順（図４参照）と同様である。実施の形態１において図４中のステップＳ１３において制御部１１が文字入力操作であるか否かを判定したところを、実施の形態９において制御部１１は、図形入力操作であるか否かを判定する。より具体的には、制御部１１は図形ボタン４１ｃが選択された状態で操作画面４中の画像内に図形データが付加されたか否かにより判定を行う。なお、このとき制御部１１は制御プログラム１３ａを実行することにより、本発明の特定部として機能する。また、実施の形態１において入力データは、文字列データと、文字の属性に係るデータとで構成されていたが、実施の形態９においては図形データと、図形の属性に係るデータとで構成されている。
【００７５】
また、実施の形態９におけるアプリケーションを実行したときの電子黒板装置１の処理手順は、以下に説明する箇所以外は実施の形態８における電子黒板装置１の処理手順（図６参照）と同様である。実施の形態８において入力データは、文字列データと、文字の属性に係るデータとで構成されていたが、実施の形態９における入力データは図形データと、図形の属性に係るデータとで構成されている。
【００７６】
以上の構成及び処理により、電子黒板装置１は画像に付加された図形の内、図形を表す色が所定の色である図形を除いて、記憶部１３に記憶又は画像形成装置３へデータの出力をすることができる。そのため、記憶又は画像形成を望まない図形、例えば機密事項等を表す図形がユーザによって入力される際に、除外する基準となる色で図形が入力されることにより、電子黒板装置１は機密事項を表す図形を記憶又は画像形成の対象から除外することができる。従って、ユーザは画像内の図形を整理する操作を行うことなく、記憶又は画像形成を行うことができるため、電子黒板装置１及び画像形成システムの利便性が向上する。
【００７７】
本発明に係るデータ処理装置（１）は、複数のデータで構成されるデータ群に対する処理要求を外部から受け付ける受付部（１７）と、該受付部（１７）が受け付けた処理要求に基づいて、前記データ群に対して処理を行う処理部（１１）とを備えるデータ処理装置（１）において、前記処理部（１１）による処理を除外する対象を前記複数のデータから選択する除外対象選択部（１１）を備え、前記処理部（１１）は、前記除外対象選択部（１１）が選択したデータを除くデータに対して処理を行うようにしてあることを特徴とする。
【００７８】
本発明においては、処理部（１１）は、除外対象選択部（１１）が選択したデータを除くデータに対して処理を行うことができるため、例えば、処理に不適なデータを除外した処理を行うことができる。
【００７９】
本発明に係るデータ処理装置（１）は、前記データ群を構成するデータは、色を表す色属性を含み、前記データが含む色属性を特定する色属性特定部（１１）を更に備え、前記除外対象選択部（１１）は、前記色属性特定部（１１）が所定の色に係る色属性であると特定したデータを選択するようにしてあることを特徴とする。
【００８０】
本発明においては、処理を除外する対象として所定の色属性を持つデータを選択することができるため、例えば処理に不適なデータを所定の色で表すことによって、該データを除外して処理を行うことができる。
【００８１】
本発明に係るデータ処理装置（１）は、前記データが文字列データ又は図形データであるか否かを判定する判定部（１１）を更に備え、前記除外対象選択部（１１）は、前記判定部（１１）が文字列データ又は図形データであると判定したデータから前記処理部（１１）による処理を除外する対象を選択するようにしてあることを特徴とする。
【００８２】
本発明においては、文字列データ又は図形データから処理を除外する対象を選択することができるため、例えば処理に不適な文字列データ又は図形データを除外した処理を行うことができる。
【００８３】
本発明に係るデータ処理装置（１）は、文字列データが表す文字に係る色、大きさ、又は字体を含む文字の属性を特定する特定部（１１）を更に備え、前記除外対象選択部（１１）は、前記判定部（１１）が文字列データであると判定し、かつ前記特定部（１１）が所定の属性であると特定したデータを選択するようにしてあることを特徴とする。
【００８４】
本発明においては、文字列データが表す文字について所定の属性を有する文字列データを、処理を除外する対象として選択することができる。そのため、例えば、機密事項等の予め処理に適さない文字列データをその属性により入力されていることにより、処理に不適な文字列データを除外した処理を行うことができる。
【００８５】
本発明に係るデータ処理装置（１）は、図形データが表す図形に係る色、大きさ、又は形状を含む図形の属性を特定する特定部（１１）を更に備え、前記除外対象選択部（１１）は、前記判定部（１１）が図形データであると判定し、かつ前記特定部（１１）が所定の属性であると特定したデータを選択するようにしてあることを特徴とする。
【００８６】
本発明においては、図形データが表す図形について所定の属性を有する図形データを、処理を除外する対象として選択することができる。そのため、例えば、機密事項等の予め処理に適さない図形データをその属性により入力されていることにより、処理に不適な図形データを除外した処理を行うことができる。
【００８７】
本発明に係るデータ処理装置（１）は、前記除外対象選択部（１１）は、前記特定部（１１）が所定の色と特定したデータを選択するようにしてあることを特徴とする。
【００８８】
本発明においては、文字列データが表す文字について所定の色を有する文字列データを、処理を除外する対象として選択することができる。
【００８９】
本発明に係るデータ処理装置（１）は、前記受付部（１４）が受け付けた処理要求に基づいて、前記データ群にデータを付加するデータ付加部（１１）を更に備え、前記除外対象選択部（１１）は、前記データ付加部（１１）が付加したデータから、前記処理部（１１）による処理を除外する対象を選択するようにしてあることを特徴とする。
【００９０】
本発明においては、受付部（１４）から処理要求を受け付けることにより、付加されたデータから、処理を除外する対象を選択することができる。そのため例えば、記憶領域から読み出されたデータ群にデータを付加した場合に、付加されたデータの中から処理に不適なデータを除いて処理を行うことができる。
【００９１】
本発明に係るデータ処理装置（１）は、記憶部（１３）を更に備え、前記受付部（１７）は、記憶処理に係る処理要求を受け付けるようにしてあり、前記処理部（１１）は、前記受付部（１４）が前記記憶処理に係る処理要求を受け付けたとき、前記除外対象選択部（１１）が選択したデータを除くデータを前記記憶部（１３）に記憶するようにしてあることを特徴とする。
【００９２】
本発明においては、処理部（１１）は、除外対象選択部（１１）が選択したデータを除くデータに対して記憶部（１３）に記憶する処理を行うことができるため、例えば、記憶処理に不適なデータを除外して記憶部（１３）に記憶することができる。
【００９３】
本発明に係る画像形成システムは、上述の何れか一つに記載のデータ処理装置（１）と、該データ処理装置（１）から入力されたデータに基づく画像を形成する画像形成装置（３）とを備え、前記受付部（１４）は、画像形成処理に係る処理要求を受け付けるようにしてあり、前記処理部（１１）は、前記受付部（１４）が前記画像形成処理に係る処理要求を受け付けたとき、前記除外対象選択部（１１）が選択したデータを除くデータを前記画像形成装置（３）に出力するようにしてあることを特徴とする。
【００９４】
本発明においては、データ処理装置（１）は、除外対象選択部（１１）にて選択されたデータを除くデータを画像形成装置（３）に出力することができるため、画像形成に不適なデータを除外して画像形成装置（３）により画像形成を行うことができる。
【００９５】
本発明に係るコンピュータプログラム（１３ａ、５１）は、コンピュータに、外部から受け付けた複数のデータで構成されるデータ群に対する処理要求に基づいて、前記データ群に対して処理を行わせるコンピュータプログラム（１３ａ、５１）において、前記処理を除外する対象を前記複数のデータから選択するステップと、前記処理を除外する対象として選択されたデータを除くデータに対して処理を行うステップとを含むことを特徴とする。
【００９６】
本発明においては、処理を除外する対象として選択されたデータを除いた処理を行うことができる。
【００９７】
更に、今回開示された実施の形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００９８】
１  電子黒板装置（データ処理装置）
３  プリンタ（画像形成装置）
５  記録媒体
１１  制御部（処理部、データ付加部、判定部、特定部、除外対象選択部、色属性特定部）
１３  記憶部
１４  操作部（受付部）
１３ａ，５１  制御プログラム
【図１】
2015041228.tif 000003
【図２】
2015041228.tif 000004
【図３】
2015041228.tif 000005
【図４】
2015041228.tif 000006
【図５】
2015041228.tif 000007
【図６】
2015041228.tif 000008